(57)【要約】【課題】  両側出口開口で均等な風量を得ることが出来、「ショートサーキット」現象のない小形・コンパクトな一体型空調機を提供する。【解決手段】  内部に熱サイクルを内部に収納した一体型空気調和機１０であって：本体筐体１１と；本体筐体内に配置され、その内部に一対の通風路を形成する内部ケーシング７と；本体内において、前記内部ケーシング内の一対の通風路に風を発生する室内ファン１と；本体の正面に、その略中央軸上に設けられた空気の吸い込み開口１３と；そして、本体の正面に、その両側に設けられ、実質的に同一の寸法の一対の空気の吹き出し開口１４ａ、ｂとを備え、本体の正面には、湾曲面を有するカバー２１０が取り付けられている。【選択図】      図１４
2005134109.tif 000002
【特許請求の範囲】
【請求項１】
熱サイクルを内部に収納した一体型空気調和機であって：
本体と；
前記本体内に配置され、その内部に一対の通風路を形成する内部ケーシングと；
前記本体内において、前記内部ケーシング内の一対の通風路に風を発生する室内ファンと；
前記本体の正面に、その略中央軸上に設けられた空気吸い込み開口と；
前記本体の正面に、その両側に設けられ、実質的に同一の寸法の一対の空気吹き出し開口とを備え、前記本体の正面には、湾曲面を有するカバーが取り付けられていることを特徴とする一体型空気調和機。
【発明の詳細な説明】
【技術分野】
【０００１】
本発明は、熱サイクルを構成する室内ユニット及び室外ユニットを一個のケーシング又は筐体内に取り付けた空気調和機に関し、特に、空調した空気を少なくとも二個の開口部から室内に吹き出す一体型空気調和機に関する。
【背景技術】
【０００２】
従来、熱サイクルを構成する室内ユニット及び室外ユニットを一個のケーシング又は筐体内に取り付けて一体型とし、例えば窓枠に固定して取り付ける空気調和機は既に知られている。かかる一体型の空気調和機の一例が、例えば、以下の特許文献１に開示されており、ここでは、２つのスクロール部分に分割された空気を吹き出すためのシロッコファンを有しており、ケース表面の両側（すなわち、その左側と右側）に設けられた２つの出口開口部を介して冷却された空気を室内に吹き出す。上記の構造では、室内の空気はケース中央部（すなわち、ケース表面の中央部に経営された空気吸入口）から吸入され、そして、両側の出口開口部から室内へ吹き出され、もって、室内の温度分布を改善する効果を達成する（すなわち、室温を冷却し又は暖房する）。
【０００３】
かかる構造を最も簡単な方法で実現するためには、ハウジング内に設けた内部ケーシングにより一対の風路を左右対称に形成し、一方、シロッコファン等の室内ファンを空調機、特に、その主筐体の中心軸上に配置する。
【０００４】
【特許文献１】実開昭５９−１８２１４号公報
【発明の開示】
【発明が解決しようとする課題】
【０００５】
しかしながら、かかる一体型の空調機の実際の製品、特に、風路が左右対称に形成されたものでは、一体型の空調機のサイズを小さくする、すなわち、小型化の要求により、しばしば、室内ファンを主筐体の中心軸上に配置することは困難であった。かかる場合には、空気を分割してその両側の出口開口部に均一に導くための何らかの手段を設ける必要があるが、しかしながら、そのためには比較的大きなスペースが必要となる。一方、両側の出口開口部で均一な風量を得るために大きなスペースが必要になると、その内部の電気部品と内部に風路を形成する内部ケーシングとの間の距離やギャップを十分に確保することが難しくなる。もしもこれらた互いに近づいた場合、特に冷房運転時において、上記電気部品の近傍に露滴が凝集される。すなわち、この凝集された露滴が上記電気部品内に入り込み、なお、空調機の誤動作や故障などを生じる可能性があった。
【０００６】
また、上記従来技術になる空調機の構造、特に、本発明が関連する一体型のものでは、両側の空気出口の開口部から吹き出した空気が空気流入開口部へ直接戻って再び吸い込まれてしまう、所謂「ショートサーキット」と呼ばれる現象が発生し、これにより空調能力、すなわち、空気を冷房し又は暖房する能力を低下させてしまうという問題点を生じていた。
【０００７】
そこで、本発明の目的は、かかる上記の問題点を解消し、特に、その筐体内において室内ファンが一方の側にずれて配置された空調機でも、その小形・コンパクト化が可能で、空調能力の低下のない、特に、上記した「ショートサーキット」現象のない一体型空調機を提供することにある。
【課題を解決するための手段】
【０００８】
かかる上記の目的を達成するため、本発明によれば、熱サイクルを内部に収納した一体型空気調和機であって：
本体と；
前記本体内に配置され、その内部に一対の通風路を形成する内部ケーシングと；
前記本体内において、前記内部ケーシング内の一対の通風路に風を発生する室内ファンと；
前記本体の正面に、その略中央軸上に設けられた空気吸い込み開口と；
前記本体の正面に、その両側に設けられ、実質的に同一の寸法の一対の空気吹き出し開口とを備え、前記本体の正面には、湾曲面を有するカバーが取り付けられている一体型空気調和機が提供されている。
【発明の効果】
【０００９】
以上の詳細な説明からも明らかなように、本発明によれば、本体の筐体内において室内ファンが一方の側にずれて配置された一体型空調機でも、その出口開口の両側で均等な風量を得ることが可能で、かつ、容易に組み立てることが可能であり、その機械的な強度に優れ、特に、その組立作業工程に好適であり、従来のような「ショートサーキット」現象がなく、その小形・コンパクト化が可能となる一体型空調機を可能にする。
【発明を実施するための最良の形態】
【００１０】
以下、本発明の実施の形態について、添付の図面を参照しながら詳細に説明する。
【００１１】
まず、本発明の第１の実施の形態を、図１〜図４を参照しながら説明する。
【００１２】
本発明の第１の実施の形態になる一体型の空調機を示す図１を参照し、空調機１０は、ケーシング又は本体筐体１１の内部（又は、空調機の本体）に配置された室内ファン１と、上記室内ファン１の前面に配置された室内熱交換器４と、その内部に左右への一対の吹き出し又は風路を形成した内部ケーシング７を備えている。室内ファン１は、仕切板９の後方に設けられたファンモータ３に連結されており、このファンモータ３は、さらに、室外ファン２に接続され、もって、これらを回転駆動している。加えて、熱サイクルの完成のため、室内熱交換器４に加えて、さらに、圧縮機６と室外熱交換器５とが、この圧縮機６を他の２つの中央部に、すなわち、室内熱交換器４と室外熱交換器５との間に配置されている。また、これらの間には、サイクル用の配管８が循環して連結されている。空調機１０は、上記仕切板９によって室内側（図の下側）と室外側（図の上側）とに分割されている。
【００１３】
図１から明らかなように、圧縮機６が筐体１１（すなわち、空調機の本体）内に位置又は場所を占めていることから、室内ファン１を筐体１１内に対称に、すなわち、中心軸（図中に、一点鎖線Ｃで示す）上に又はこれに沿って配置すること、特に、室内ファン１とその周辺の部品（すなわち、圧縮機６とサイクルは遺憾８）とを十分な距離を保持しながら配置することは難しく、そのため、この室内ファン１は、空調機をコンパクト化するために、特に、その筐体１１を小型化するために、中心軸Ｃからずらして配置されている。
【００１４】
次に、上記に説明した空調機の構造による動作を以下に説明する。
空調機１０の室内側では、室内ファン１の前面に配置された熱交換器４を通して室内から吸入された空気は内部ケーシング７で２つの流れに分割される。すなわち、空気は、室内熱交換器４を通過した際にその温度が調整又は冷却された後、それらは分割されて、両側に配置された空気の出口開口部、すなわち、空調機１０、特にその筐体１１の正面の左側及び右側から、再び、室内に吹き戻される。
【００１５】
その場合、本発明によれば、室内ファン１は、図１に示すように一点鎖線Ｃの中心軸からずれて配置されているが、しかしながら、その内部に風路を形成している内部ケーシング７はその形態において対称でない（非対称）。より具体的には、特に図２からも分かるように、内部ケーシング７の内部、特にその内面によりに形成され、図２に破線で示された風路は、それぞれ、その左側と右側では互いに異なる形態を有し、すなわち、その形状、寸法、断面積、長さが異なる。すなわち、内部ケーシング７によって形成される風路のそれぞれの形態を変え又は異ならしめることにより、空調機１０の両側に設けられた出口開口部を介して吹き出される風を、特にその風量を調整又は制御することが可能となる。
【００１６】
図２においては、室内ファン１は、空調機１０又はその筐体１１の中心軸から外れて（例えば、１７ｍｍ〜３５ｍｍ）配置されており、風を吹き出す取り出し開口部における風量は、この形状を、すなわち、内部ケーシング７によって両側に形成される風路の形状、寸法、断面積、長さを異ならしめることにより調整されている。しかしながら、本実施の形態では、図２からも分かるように、筐体１１の正面上の両側に対称に設けられた２つの空気取り出し開口部は、互いに実質的に同一の寸法に形成されている。
【００１７】
さらに、本発明の第１の実施の形態になる空調機１０の斜視図を示す図３を参照し、これから、室内の空気を吸入するための空気取り入れ開口部１３が空調機１０の正面の略中央部に配置又は形成されており、他方、調整された空気を吹き出すための第１の吹き出し開口部１４ａと第２の吹き出し開口部１４ｂは、その正面の左側と右側において、同じ寸法（例えば、それぞれ６６ｍｍの幅の開口部）で配置され又は形成されていることが明らかである。そして、この図では、符号１５は、空調機１０の、マイクロコンピュータ等からなる制御装置を含む電気部品を示している。
【００１８】
上記のような構成、すなわち、室内ファン１が中心軸から外れていても、しかしながら、本発明によれば、第１の吹き出し開口部１４ａと第２の吹き出し開口部１４ｂでの風量を、内部ケーシング７の内部の両側に形成された風路のそれぞれの形態、すなわち、その形状、寸法、断面積、長さを、適宜、変化し決定することにより、要求に応じて調整することが出来る。
【００１９】
さらに、図４では、本発明の第１の実施例になる空気調和機１０の、発泡スチロールから形成された内部ケーシング７が、電気部品１５と共に斜視図に示されている。この図からも明らかなように、内部ケーシング７の第１の吹き出し開口１４ａと第２の吹き出し開口１４ｂとが、その両側において、互いに対称に配置されており、電気部品１５は、上記第１の吹き出し開口１４ａの直ぐ下に形成された空間内に配置されている。
【００２０】
かかる構成によれば、上記にも述べたように、内部ケーシング７の第１の吹き出し開口１４ａと第２の吹き出し開口１４ｂにおける風速をそれぞれ調整することが可能である。そのため、それらの風速を異ならしめることにより、特に、第１の吹き出し開口１４ａの風量を、第２の吹き出し開口１４ｂのそれよりも僅かに高くすることにより、結露の内部への侵入から保護されるべき電気部品１５に隣接する第１の吹き出し開口１４ａでの結露から保護し、あるいは、その結露の量を減少させる。
【００２１】
しかしながら、上記第１の吹き出し開口１４ａから吹き出す風量を上記第２の吹き出し開口１４ｂのそれよりも高くすると、空調機１０の正面に立っている人に対して、左側と右側で異なる、奇異な感覚を与えてしまう。それ故、本発明によれば、第１の吹き出し開口１４ａから吹き出す風量を、第２の吹き出し開口１４ｂのそれよりも高くするが、５：５〜６：４程度の比になるように調整することが好ましい。この範囲の風量の違いであれば、しかしながら、上記第１の吹き出し開口１４ａと上記第２の吹き出し開口１４ｂでの風温の違いは１℃以内に抑えることが出来るため、奇異な感覚を与えることはない。
【００２２】
次に、本発明の第２の実施の形態を、図５〜図１０を参照しながら説明する。なお、ここでは、これらの図の同じ符号は、上記図１〜図４に示した第１の実施の形態における同じ構成部分を示している。
【００２３】
この第２の実施の形態では、空調機１０の形状のより具体的な指針が、特に、本体１１の寸法、室内ファン１の各部の径や寸法などが、それらの関係と共に示されている。
【００２４】
本発明の第２の実施の形態である一体型の空調機を示す図５において、空調機１０は、また、筐体（空調機の本体）１１の内部に配置された室内ファン１と、上記室内ファン１の前面に配置された室内熱交換器４と、その内部に左右への一対の吹き出し又は風路を形成した内部ケーシングを備えている。室内ファン１は、仕切板９の後方に設けられたファンモータ３に連結されており、このファンモータ３は、さらに、室外ファン２に接続され、もって、これらを回転駆動している。加えて、熱サイクルの完成のため、室内熱交換器４に加えて、さらに、圧縮機６と室外熱交換器５とが、この圧縮機６を他の２つの中央部に、すなわち、室内熱交換器４と室外熱交換器５との間に配置されている。また、これらの間には、サイクル用の配管８が循環して連結されている。空調機１０は、上記仕切板９によって室内側（図の下側）と室外側（図の上側）とに分割されている。
【００２５】
また、図５から明らかなように、圧縮機６が筐体１１（すなわち、空調機の本体）内に位置又は場所を占めていることから、室内ファン１を筐体１１内に対称に、すなわち、中心軸（図中に、一点鎖線Ｃで示す）上に又はこれに沿って配置すること、特に、室内ファン１とその周辺の部品（すなわち、圧縮機６とサイクルは遺憾８）とを十分な距離を保持しながら配置することは難しく、そのため、この室内ファン１は、空調機をコンパクト化するために、特に、その筐体１１を小型化するために、中心軸Ｃからずらして配置されている。
【００２６】
次に、上記に説明した空調機の構造による動作を以下に説明する。
空調機１０の室内側では、室内ファン１の前面に配置された熱交換器４を通して室内から吸入された空気は内部ケーシング７で２つの流れに分割される。すなわち、空気は、室内熱交換器４を通過した際にその温度が調整又は冷却された後、それらは分割されて、両側に配置された空気の出口開口部、すなわち、空調機１０、特にその筐体１１の正面の左側及び右側から、再び、室内に吹き戻される。
【００２７】
その場合、本発明によれば、室内ファン１は、図５に示すように一点鎖線Ｃの中心軸からずれて配置されているが、しかしながら、その内部に風路を形成している内部ケーシング７はその形態において対称でない（非対称）。より具体的には、内部ケーシング７の内部、特にその内面によりに形成された風路は、それぞれ、その左側と右側では互いに異なる形態を有し、すなわち、その形状、寸法、断面積、長さが異なる。すなわち、内部ケーシング７によって形成される風路のそれぞれの形態を変え又は異ならしめることにより、空調機１０の両側に設けられた出口開口部を介して吹き出される風を、特にその風速又は風量を調整又は制御することが可能となる。
【００２８】
さらに、図７（ａ）は上記第２の実施の形態である空調機１０の正面図を示し、図７（ｂ）は上記第２の実施の形態の変形である空調機１０の正面図を示している。これら実施の形態とその変形例の両者からは、やはり、同じ形状・寸法の吹き出し開口１４ａ、１４ｂが、室内ファン１が中央軸からずれて配置されているにも拘わらず、本体１１のほぼ中央部に形成・配置された取り入れ開口１３に対して、図７（ａ）ではその左側と右側に、一方、図７（ｂ）ではそのの上側と下側に、対称に形成・配置されていることが分かる。
【００２９】
さらに、図８は、展開した状態の内部ケーシング７の詳細を示しており、この内部ケーシング７は、室内熱交換器４の下に配置された第１のケーシング部７１と、上記第１のケーシング部７１の上部から室内ファン１のほぼ中央部まで延びた第２のケーシング部７２と、そして、上記第２のケーシング部７２の上に配置された第３のケーシング部７３とを備えている。内部ケーシング７のこれらの部分は、上述のように、発泡スチロールから形成されている。
【００３０】
かかる内部ケーシング７の構成によれば、順番に、すなわち、第１のケーシング部７１、室内熱交換器４、第２のケーシング部７２、第３のケーシング部７３の順番に、上方から簡単に組み立てることが可能であり、それ故、その組立工程において優れている。特に、内部ケーシング７は、その第２のケーシング部７２を第１のケーシング部７１上に組み立てる際に、室内ファン１との間のギャップあるいは距離などを確認しながら組み立てることが可能になる。
【００３１】
図９（ａ）及び（ｂ）は、本発明になる空調機１０の形態の例を示しており、特に、その形状、その高さＨや幅Ｗを含む寸法、室内ファン１の径Ｄ、そしてそれらの間の関係を示している。本発明者らによる実験によれば、空調機１０の高さＨを１とした場合には、その幅Ｗは１〜５に、その径Ｄは０．０５〜０．９５に（図９（ａ）において）、そして、その幅Ｗは０．７〜３に、その径Ｄは０．３〜０．９５（図９（ｂ）において）に選択されている。特に好ましくは、その幅Ｗは約１〜２、その径Ｄは好ましくは約０．５〜０．８である。さらに、参考のために、空調機１０の奥行き（Ｄ）は、高さＨに対して、約１．５〜２．０である。
【００３２】
さらに、図１０は、また、本発明になる空調機１０における風路の寸法の例を示している。特に、内部ケーシング７の内部に形成されている風路が図の破線で示されており、そこには、また、内部ケーシング７の内側表面と室内ファン１との間の最も狭い隙間（距離）の値が示されている。これらの隙間（距離）Ｇ１、Ｇ２は、上記でも説明したように、内部ケーシング７を組み立てる、特に、第２のケーシング部分７２を第１のケーシングの上に組み立てる際に、簡単に調整することが可能である。そして、上記の実験によれば、その径Ｄを１とした場合には、左側の最も狭い隙間Ｇ１は、好ましくは、０．０５〜０．２であり、右側の最も狭い隙間Ｇ２は、好ましくは、０．１から０．３である。
【００３３】
本発明、特に、第２の実施の形態によれば、空調機１０の、特に、その筐体１１の正面において、左右側でほぼ対称な上記吹き出し開口１４ａ、１４ｂから吹き出す風量を、均一化することが可能である。
【００３４】
次に、本発明の第３の実施の形態を、図１１〜図１３を参照しながら説明する。ここでも、これらの図における同じ符号は、上記で示した図１〜図１０に示した実施の形態におけると同様の構成要素を示している。
【００３５】
この第３の実施の形態によれば、空調機の内部構造の斜視図を示す図１１〜図１３からも明らかなように、基板１００上に搭載された、上記の室内ファン１、室外ファン２、ファンモータ３、室内熱交換器４、室外熱交換器５、圧縮機６、その部分７１、７２，７３を含んだ内部ケーシング７、そして、仕切り板１０の他に、さらに、保持板１２０が設けられている。
【００３６】
第３の実施の形態の一例を示す図１１を参照しながら、例えば鋼板から形成された保持板１２０は、室外ファン２のカバー１１０の上部に、例えばネジ（図示せず）で接続され、そして、そこから仕切り板９の上部を越えて室内熱交換器４にまで延び、内部ケーシング７の切欠部７５（上記図４における符号７５を参照）を介して室内熱交換器４の上部にネジ（図示せず）で接続されており、しかし、圧縮機６側に僅かに近づいてずらされている。この保持板１２０は、また、上記仕切り板９の上部と、ネジなどで接続されてもよい。
【００３７】
このような構造によれば、室外ファン２、特に、そのカバー１１０と室内熱交換器４が、そして、また仕切り板９が、一緒に、上記保持板１２０に接続されていることから、その組立時における生産性を向上すると共に、上記室内熱交換器４と、内部ケーシング７と、そして室内ファン１との間に必要な隙間を確保し、そして、また、室外ファン２と室外ファンのカバー１１０との間にも必要な距離を確保することとなる。そして、この保持板１２０によれば、空調機１０の本体それ自体の機械的な強度が向上し、これによれば、特に、熱交換器や圧縮機の周辺で移動することによる切断から配管類を保護することとなることは言うまでもない。
【００３８】
上記第３の実施の形態の変形例を示す図１２を参照し、上記保持板１２０は、室外ファン２のカバー１１０の上部に接続され、そして、そこから仕切り板９の上部を越えて室内熱交換器４にまで延びてその上部に接続されている。さらに、この変形例では、基板１００と室内熱交換器４の間をそれによって固定接続するための固定板１３０が設けられている。
【００３９】
この変形例の構造によれば、それから明らかなように、基板１００と室内熱交換器４との間を接続固定することにより、さらに、上記室内熱交換器４と、内部ケーシング７と、そして室内ファン１との間に必要な隙間を、より高い確度で保持することが可能になり、空調機１０自体の機械的強度を更に向上することが可能となる。
【００４０】
さらに、上記第３の実施の形態の他の変形例を示す図１３を参照し、上記保持板１２０は、室外ファン２に直接ではなく、室外ファン２のカバー１１０が接続されている室外熱交換器５に対して、その上部に接続されている。しかしながら、保持板１２０は、やはり仕切り板９の上部を越えて室内熱交換器４にまで延びており、その上部に接続されている。
【００４１】
この変形例の構造によれば、やはりそれから明らかなように、室内熱交換器４と、仕切り板９と、そして室外熱交換器５とを一緒に固定することにより、その組立時における生産性を向上することが可能であると共に、上記室内熱交換器４と、内部ケーシング７と、そして室内ファン１との間に必要な隙間を確保し、そして、また、室外ファン２と室外ファンのカバー１１０との間にも必要な距離を確保することとなる。そして、この保持板１２０によれば、空調機１０の本体それ自体の機械的な強度が向上し、これによれば、特に、熱交換器や圧縮機の周辺で移動することによる切断から配管類を保護することとなることは言うまでもない。
【００４２】
最後に、本発明になる第４の実施の形態について、図１４及び図１５を参照して説明する。ここでも、また、これらの図の同じ参照符号は、上記図１〜図１３における各種の実施の形態における同様の構成要素を示している。
【００４３】
第４の実施の形態である空調機１０の斜視図を示す図１４から明らかなように、空調機１０は、キャビネット、すなわち、空調機１０の本体自体と、その正面に取り付けられた表面カバー２００とから構成されている。
【００４４】
このキャビネット１０の内部には、これらの図には示されないが、しかしながら勿論、圧縮機、熱交換器、ファンモータ、ファンとその電気部品等が、上記のように、基板の上に搭載されている。
【００４５】
一方、表面カバー２００は、空気吸い込みグリル２１０と、その両側の一対の、すなわち、上記空気吸い込みグリル２１０の左側と右側との空気吹き出しグリル２２０とにより形成されている。上記空気吹き出しグリル２２０の深さＨ２と、上記空気吸い込みグリル２１０の深さＨ１との間には、前者が後者よりも大きい、すなわち、Ｈ１＞Ｈ２という関係が成立している。さらに、空気吸い込みグリル２１０は、円弧状に湾曲した、換言すれば、深さを両側の深さＨ２から徐々に表面カバー２００の中央部（Ｈ１）に向かって増大する表面を備えている。
【００４６】
さらに、本第４の実施の形態になる空調機１０の断面を示す図１５にも明らかなように、フィルター３００が上記空気吸い込みグリル２１０裏側に配置されており、そして、上記空気吸い込みグリル２１０とフィルター３００との間には、それらの間に所定の距離Ｌを確保するために、フィルターガイド３１０が設けられている。
【００４７】
上記に述べた構造によれば、上記空気吹き出しグリル２２０の深さＨ２は、空気吸い込みグリル２１０の深さＨ１よりも低くなるように設計されており、そのため、空気吹き出しグリル２２０から送り出された空気（すなわち、冷却又は暖房された空気）が空気吸い込みグリル２１０へ直接戻って再び吸い込まれてしまう、所謂「ショートサーキット」と呼ばれる現象が生じ難い。それ故、室内空気の空調機能を、空調能力である空気の冷房又は暖房能力を低下させることなく実行することが出来る。
【００４８】
さらに、空気吸い込みグリル２１０は円弧状に湾曲しており、それ故、空気吸入のための面積（エリア）をより大きく確保することができ、これにより、通気抵抗を減少させる。加えて、かかる構造によれば、フィルター３００と空気吸い込みグリル２１０との間に距離Ｌと共に、空気の吸入面積をより大きくすることが可能であり、それ故、空気吸い込みグリル２１０を通過する風は、その風速が遅くなる。すなわち、これによれば、空気吸い込みグリル２１０を通過する風は、両側の空気吹き出しグリル２２０からの吹き出し風を引き込み難く、かつ、フィルター３００を詰まらせ難く、これにより、風量の低下から保護し、空調機の初期の性能を低下させることなく、長期間、維持することが出来る。
【図面の簡単な説明】
【００４９】
【図１】本発明の第１の実施例になる一体型の空気調和機の断面図である。
【図２】上記第１の実施例の一体型の空気調和機の正面図である。
【図３】上記第１の実施例の一体型の空気調和機の外観斜視図である。
【図４】上記第１の実施例の一体型の空気調和機の通風路を形成する室内ケーシングの配置斜視図である。
【図５】本発明の第２の実施例になる一体型の空気調和機の構成図（断面図）である。
【図６】本発明の第２の実施例になる一体型の空気調和機の外観図（斜視図）である。
【図７】本発明の第２の実施例の一体型の空気調和機とその変形例を示す図（正面図）である。
【図８】第２の実施例の室内ケーシングの分割図（斜視図）である。
【図９】第２の実施例の一体型の空気調和機と変形例における寸法を示す正面図である。
【図１０】やはり、第２の実施例の一体型の空気調和機の、特に通風路における寸法を示す正面図である。
【図１１】本発明の第３の実施例になる一体型の空気調和機の内部構造を示す斜視図である。
【図１２】上記第３の実施例になる一体型の空気調和機の変形例の内部構造を示す斜視図である。
【図１３】上記第３の実施例になる一体型の空気調和機の他の変形例の内部構造を示す斜視図である。
【図１４】本発明の第４の実施例になる一体型の空気調和機の外観を示す斜視図である。
【図１５】上記第４の実施例になる一体型の空気調和機の縦断面を示す図である。
【符号の説明】
【００５０】
１  室内ファン
２  室外ファン
３  ファンモータ
４  室内熱交換器
５  室外熱交換器
６  圧縮機
７  内部ケーシング
８  配管
９  仕切板
１０  空調機
１１  ケーシング（本体筐体）
１３  吸い込み開口
１４ａ、１４ｂ  吹き出し開口
Ｃ  中央軸。
【図１】
2005134109.tif 000003
【図２】
2005134109.tif 000004
【図３】
2005134109.tif 000005
【図４】
2005134109.tif 000006
【図５】
2005134109.tif 000007
【図６】
2005134109.tif 000008
【図７】
2005134109.tif 000009
【図８】
2005134109.tif 000010
【図９】
2005134109.tif 000011
【図１０】
2005134109.tif 000012
【図１１】
2005134109.tif 000013
【図１２】
2005134109.tif 000014
【図１３】
2005134109.tif 000015
【図１４】
2005134109.tif 000016
【図１５】
2005134109.tif 000017